(57)【要約】【課題】夜間の病院、老人ホームや震災時の火災において、長時間、消火器周辺を発光させ、設置位置を正確に表示することで初期消火を円滑におこなう消火器設置場所表示装置を提供する。【解決手段】消火器本体または消火器設置場所周辺に太陽電池１から供給される電荷が電気二重層キャパシタ４に充電され、夜間や暗室における暗中な場所において発光ダイオード８を発光し、消火器の設置場所を表示する消火器設置所表示装置とする。【選択図】  図１
2005000356.tif 000002
【特許請求の範囲】
【請求項１】
太陽電池と該太陽電池からの電荷が充電される電気二重層キャパシタと、発光素子からなる表示装置であって、夜間や暗室における暗中な場所において発光素子を発光させ、消火器の設置場所を表示することを特徴とする消火器設置場所表示装置。
【発明の詳細な説明】
【０００１】
【発明の属する技術分野】
本発明は、初期消火等に用いられる消火器に関し、消火器本体または消火器設置場所周辺に配置され、消火器の設置場所を表示する消火器設置場所表示装置である。
【０００２】
【従来の技術】
火災は、明るい昼間よりも、夜間の方が、人の視認性が悪くなり、より危険である。特に、病院や老人ホームでは、体の不自由な方が多く、火災時には通常より避難するのに困難になることが予想される。最近では、このような危惧から、夜間抜き打ちの避難訓練が実施される病院や老人ホームもある。
【０００３】
また、夜間、震災による火災が併発した際には、消防車も期待できないことから病院や震災時の火災において初期消火が非常に重要となる。従来、初期の火災において使用される消火器は、設置箇所に、「消火器」と表示されたプレートが取り付けられ、その位置が明確になるように表示されている。
【０００４】
特許文献１では、表示素子を配置し、前記表示素子を電池にて駆動する消火器について記載されている。
【０００５】
【特許文献１】
特開平１０−１３３６０５号公報
【０００６】
その他、表示して、プレートの文字に夜光塗料を塗装された消火器もあり、夜間や停電時なども、その設置場所を知ることができる。
【０００７】
【発明が解決しようとする課題】
しかしながら、夜光塗料の発光は、長時間の発光ができず、実際には数十分しか発光を持続できない。また、特許文献１においては、電池を用いて発光表示しており、消耗品である電池の場合は、定期的に交換する必要があり、そうでないと、電池切れにより発光されなくなり、夜間には表示されないという問題点があった。
【０００８】
本発明の目的は、夜間の病院、老人ホームや震災時の火災等において、長時間、表示装置を発光させ、設置位置を正確に表示することで初期消火を円滑におこなう消火器設置場所表示装置提供することである。
【０００９】
【課題を解決するための手段】
本発明の消火器設置場所表示装置は、電気二重層キャパシタを用いており、昼間の明るい時間帯に太陽電池の受光パネルより電荷を電気二重層キャパシタに充電させ、夜間の暗い間に充電した電荷を放電させ、消火器に設置した発光素子を点灯させることで、消火器の設置位置を表示させる消火器設置場所表示装置である。
【００１０】
【発明の実施の形態】
本発明の実施の形態による消火器設置場所表示装置について、以下に説明する。
【００１１】
本発明の実施の形態による消火器設置場所表示装置は、大陽電池と前記大陽電池から得られる電力を貯蔵する電気二重層キャパシタと発光素子とで構成される。
【００１２】
（実施の形態１）
図１は、本発明の消火器設置場所表示装置の充放電回路図である。マイコン７（例えば、ＡＶＲチップ）には、あらかじめ、発光ダイオード８の点灯プログラムを書き込んだ状態にしておく。また、スイッチ５をＯＮにすることで、点灯プログラムを、別パターンに変更することができる。
【００１３】
まず、充電は、周囲が日光や照明などにより明るい状態で、太陽電池１より生じた電荷を電気二重層キャパシタ４に充電する。その時、フォトトランジスタ６は、周囲の明るさにより、コレクタとエミッタ間が導通状態となっているため、マイコンのＩＮには電圧が印加されないため、発光ダイオード８は点灯しない。
【００１４】
次に、周囲が暗くなると、フォトトランジスタ６のコレクタとエミッタ間が絶縁状態となり、マイコン７のＩＮに電圧が印加される。それにより、発光ダイオード８が、マイコン内の点灯プログラムに従い、点灯を開始する。ここでの回路例は、ＬＥＤ（Ｌｉｇｈｔ  Ｅｍｉｔｔｉｎｇ  Ｄｉｏｄｅの略：発光ダイオード）を４個取り付けているが、用途により適宜増減すれば良い。
【００１５】
（実施の形態２）
上記のＬＥＤライトと従来の夜光塗料との比較を行った。発光ダイオード１３には、２Ｖ定格を用い、電気二重層キャパシタ４には、５．５Ｖ定格、５０Ｆを２個並列に用いた。
【００１６】
図２は、本発明の実施例の消火器設置場所表示装置の外観図である。太陽電池１２は、できるだけ太陽光を照射させるため、正面に配置した。また、フォトダイオード１１も正面に配置することで、明暗を識別することができる。発光ダイオード１３は２個とした。
【００１７】
図３は、消火器本体への表示素子の取り付け例を示す図である。図３に示すように、回路は、マジックテープ（Ｒ）で消火器に設置することで、簡単に脱着が可能となる。
【００１８】
図４は、消火器表示部への表示素子の取り付け例を示す図である。図４に示すように、表示部にＬＥＤをつけることで、消火の際に邪魔になることもない。
【００１９】
従来品である夜光塗料のプレートと本発明のＬＥＤライトとの発行時間の比較を行い、その結果を表１に示す。
【００２０】
【表１】
2005000356.tif 000003
【００２１】
表１において、○：発光している、△：発光しているが表示が見づらい、×：発光していない、と区分しているが、本発明では、１５時間以内であれば、すべて○（発光している）となっている。
【００２２】
表１より、夜光塗料は、周囲が暗くなって１．５時間に発光が消えるのに対し、発光ダイオードは１５時間と約１０倍の発光時間を持続することがわかる。このように、例えば、夕方５時に周囲が暗くなったとしても、朝７時までは、点灯し続けることになるので、夜間の火災時に素早く消火器を使用することができる。また、夜光塗料の発光は素子プレートの文字のみで、周辺を照らすものではないため、暗い中では消火器を手探りで探す必要があるが、本発明の場合は、ＬＥＤの明るいものを設定することにより、消火器を照らすことも可能である。
【００２３】
【発明の効果】
以上、説明したように、本発明によれば、夜間においても、長時間、消火器、または消火器周辺に取り付けた発光ダイオードが点灯するので、消火器の設置位置が明らかになり、夜間時の火災において初期消火が可能となる。また、目の不自由な人のために、発光ダイオードをブザーにすることも可能である。また、夜間の病院、老人ホームや震災時の火災において、長時間、消火器周辺を発光させ、設置位置を正確に表示することで初期消火を円滑に行う消火器設置場所表示装置を提供することができる。
【図面の簡単な説明】
【図１】本発明の実施例の消火器設置場所表示装置の充放電回路図。
【図２】本発明の実施例の消火器設置場所表示装置の外観図。
【図３】消火器本体への表示素子の取り付け例を示す図。
【図４】消火器表示部への表示素子の取り付け例を示す図。
【符号の説明】
１    太陽電池
２    ダイオード
３    負荷抵抗
４    電気二重層キャパシタ
５    スイッチ
６，１１    フォトトランジスタ
７    マイコン
８，１３    発光ダイオード
９    マジックテープ  （Ｒ）
１０    回路ケース
１２    太陽電池
【図１】
2005000356.tif 000004
【図２】
2005000356.tif 000005
【図３】
2005000356.tif 000006
【図４】
2005000356.tif 000007